(57)【要約】【課題】本発明は、デジタル電子機器に筆記を入力する方法及び装置を開示する。【解決手段】本発明は、筆記入力による圧力情報を生成する方式を規定した多様なパターンを前もって貯蔵し、使用者が自分の筆記パターンと類似のパターンを選択するとか、自分の願う筆記パターンを選択して筆記を遂行すれば、筆記パターンに従って圧力情報を生成し、ここに対応する厚さで筆記を表示することで、位置のみを入力して同じ厚さに出力する従来技術の単調な筆記入力の問題点を解決する效果が表われる。【選択図】図１
2012533815.tif 000002
【特許請求の範囲】
【請求項１】
使用者が筆記を入力する物体の位置を測定して座標情報を生成する位置測定部と、
前もって定義された筆記圧力パターン情報を貯蔵するパターンＤＢと、
前記座標情報を利用して前記筆記圧力パターン情報に従って前記座標情報に対応する仮想の筆記圧力情報を生成する圧力情報生成部と、
を含むことを特徴にする筆記入力装置。
【請求項２】
請求項１において、
前記座標情報、前記座標情報に対応する時間情報、及び前記座標情報に対応する圧力情報を含む筆記情報を貯蔵する筆記情報貯蔵部をさらに含むことを特徴にする筆記入力装置。
【請求項３】
請求項１において、
前記座標情報に対応する位置に前記圧力情報に対応する厚さで筆記を表示する表示部をさらに含むことを特徴にする筆記入力装置。
【請求項４】
請求項１において、
前記位置測定部は、所定の時間の間隔で前記物体の位置をサンプリングして座標情報を生成し、
前記筆記情報貯蔵部は、前記座標情報及び前記座標情報に対応する圧力情報を含む筆記情報を貯蔵することを特徴にする筆記入力装置。
【請求項５】
請求項１において、
使用者が筆記を入力する物体は、基準信号と超音波信号を発生させる信号発生装置であり、
前記位置測定部は、前記基準信号を受信する基準信号受信センサーと、所定の距離で互いに離隔されて設置された複数の超音波センサーを含んで、前記信号発生装置で発生された基準信号と超音波信号が前記基準信号受信センサーと超音波信号受信センサーにそれぞれ受信される時間差を利用して前記信号発生装置の座標情報を生成することを特徴にする筆記入力装置。
【請求項６】
請求項１において、
前記位置測定部は、タッチスクリーンパネルであることを特徴にする筆記入力装置。
【請求項７】
請求項１ないし６のいずれか一つにおいて、
前記パターン情報は、前記座標情報のＸまたはＹ座標値の増加方向及び減少方向に応じて互いに異なる加重値を付与して圧力値を生成するように表わすことを特徴にする筆記入力装置。
【請求項８】
請求項１ないし６のいずれか一つにおいて、
前記パターン情報は、横画と縦画のうちの一つに対しては高い筆記圧力を設定し、他の一つに対しては低い筆記圧力を生成するように表わすことを特徴にする筆記入力装置。
【請求項９】
請求項１ないし６のいずれか一つにおいて、
前記パターン情報は、
筆記の開始部分に対しては高い圧力を設定し、筆記が進行されるほど徐々に圧力が低くなるように設定するとか、
筆記の開始部分に対しては低い圧力を設定し、筆記が進行されるほど徐々に圧力が高くなるように設定することを特徴にする筆記入力装置。
【請求項１０】
請求項１ないし６のいずれか一つにおいて、
前記パターン情報は、筆記速度に反比例する圧力値を生成するように表わすことを特徴にする筆記入力装置。
【請求項１１】
請求項１ないし６のいずれか一つにおいて、
前記パターン情報は、一定の時間周期または距離周期に増減が繰り返される圧力値を生成するように表わすことを特徴にする筆記入力装置。
【請求項１２】
請求項１ないし６のいずれか一つにおいて、
前記パターンＤＢは複数の筆記パターンを貯蔵し、
前記筆記入力装置は、使用者から筆記情報生成に利用される筆記パターンを選択受けて前記圧力情報生成部に出力する入力部をさらに含むことを特徴にする筆記入力装置。
【請求項１３】
筆記入力装置で筆記を入力する方法として、
（ａ）使用者から筆記圧力パターンを選択受ける段階と、
（ｂ）使用者が筆記を入力する物体の位置を測定して座標情報を生成する段階と、
（ｃ）パターンＤＢから使用者が選択した筆記圧力パターン情報を判読し、前記座標情報を利用して前記筆記圧力パターン情報に従って前記座標情報に対応する仮想の筆記圧力情報を生成する段階と、
を含むことを特徴にする筆記入力方法。
【請求項１４】
請求項１３において、
（ｄ）前記座標情報、前記座標情報に対応する時間情報及び前記筆記圧力情報を互いに連係してそれぞれ貯蔵する段階をさらに含むことを特徴にする筆記入力方法。
【請求項１５】
請求項１３において、
（ｅ）前記座標情報に対応する位置に前記圧力情報に対応する厚さで筆記を表示する段階をさらに含むことを特徴にする筆記入力方法。
【請求項１６】
請求項１３において、
前記（ｂ）段階は、所定の時間の間隔で前記物体の位置をサンプリングして座標情報を生成し、
前記（ｄ）段階は、前記座標情報及び前記座標情報に対応する圧力情報を含む筆記情報を貯蔵することを特徴にする筆記入力方法。
【請求項１７】
請求項１３において、前記（ｂ）段階に、
使用者が利用して筆記を入力する信号発生装置で発生された基準信号と超音波信号が前記筆記入力装置にそれぞれ受信される時間差を利用して前記信号発生装置の座標情報を生成することを特徴にする筆記入力方法。
【請求項１８】
請求項１３ないし１７のいずれか一つにおいて、
前記パターン情報は、前記座標情報のＸまたはＹ座標値の増加方向及び減少方向に応じて互いに異なる加重値を付与して圧力値を生成するように表わすことを特徴にする筆記入力方法。
【請求項１９】
請求項１３ないし１７のいずれか一つにおいて、
前記パターン情報は、横画と縦画のうちの一つに対しては高い筆記圧力を設定し、他の一つに対しては低い筆記圧力を生成するように表わすことを特徴にする筆記入力方法。
【請求項２０】
請求項１３ないし１７のいずれか一つにおいて、
前記パターン情報は、
筆記の開始部分に対しては高い圧力を設定し、筆記が進行されるほど徐々に圧力が低くなるように設定するとか、
筆記の開始部分に対しては低い圧力を設定し、筆記が進行されるほど徐々に圧力が高くなるように設定することを特徴にする筆記入力方法。
【請求項２１】
請求項１３ないし１７のいずれか一つにおいて、
前記パターン情報は、筆記速度に反比例する圧力値を生成するように表わすことを特徴にする筆記入力方法。
【請求項２２】
請求項１３ないし１７のいずれか一つにおいて、
前記パターン情報は、一定の時間周期または距離周期に増減が繰り返される圧力値を生成するように表わすことを特徴にする筆記入力方法。
【発明の詳細な説明】
【技術分野】
【０００１】
本発明は、筆記情報入力装置及び方法に関し、より具体的にはタッチスクリーンなどのデジタル筆記入力装置で筆記圧力を推正して筆記位置情報とともに入力する筆記情報入力装置及び方法に関する。
【背景技術】
【０００２】
コンピューターやＰＤＡのような電子機器が普遍化されながら、使用者は重要なメモや知人の連絡先などを手帳に記録する代わりに、このような電子機器を利用して記録するのが一般化された。
【０００３】
特に、タブレットＰＣやＰＤＡのような電子器機が大衆化されながら、使用者はキーボードを利用しないでペンなどを利用して、直接にタブレットＰＣまたはＰＤＡのタッチスクリーンに自分の筆記を入力して貯蔵することができるようになった。また、使用者はペイントショップのような各種応用プログラムを利用して筆記だけではなく簡単な絵などの編集を遂行することができるようになった。
【０００４】
しかし、従来の筆記入力方式は、入力手段の位置を連結して、入力手段が進行する軌跡のみを使用者に表示するので、使用者が入力した筆記または絵が同じ厚さの線で入力されて表示され、よって、使用者が実際筆記を遂行する時にペンで筆記面を押す圧力の差に従って表現される字の厚さの変化のような自然な筆記感を感じることができない問題点が存在した。
【０００５】
このような問題を解決するために、使用者の入力手段に圧力感知センサーを追加的に設置することもできるが、このような場合に、入力手段に圧力センサーが追加的に設置されるによって入力手段の体積が大きくなって使用上の不便さが招来され、従来の入力装置のハードウェア的構成を変更しなければならないので、費用が追加で発生する問題点が存在する。
【発明の概要】
【発明が解決しようとする課題】
【０００６】
本発明が解決しようとする課題は、多様な入力手段を利用して電子機器に使用者の筆記などを入力するにおいて、圧力センサーのようなハードウェア的な構成を追加しなくて、前もって定義された筆記パターン及び使用者の設定に従って入力される筆記の圧力値を生成し、ここに対応するように筆記厚さを調節することで、より自然な筆記入力を提供することができる筆記入力方法及び装置を提供するのである。
【課題を解決するための手段】
【０００７】
上述した課題を解決するための本発明の筆記入力装置は、使用者が筆記を入力する物体の位置を測定して座標情報を生成する位置測定部と、前もって定義された筆記圧力パターン情報を貯蔵するパターンＤＢ（データベース）と、前記座標情報を利用して前記筆記圧力パターン情報に従って前記座標情報に対応する仮想の筆記圧力情報を生成する圧力情報生成部と、を含む。
【０００８】
また、前記筆記入力装置は、前記座標情報と、前記座標情報に対応する時間情報と、前記座標情報に対応する圧力情報を含む筆記情報とを貯蔵する筆記情報貯蔵部をさらに含むことができる。
【０００９】
また、前記筆記入力装置は、前記座標情報に対応する位置に前記圧力情報に対応する厚さで筆記を表示する表示部をさらに含むことができる。
【００１０】
また、前記位置測定部は、所定の時間の間隔で前記物体の位置をサンプリングして座標情報を生成し、前記筆記情報貯蔵部は、前記座標情報と、前記座標情報に対応する圧力情報とを含む筆記情報を貯蔵することができる。
【００１１】
また、前記筆記入力装置において、使用者が筆記を入力する物体は、基準信号と超音波信号を発生させる信号発生装置であり、前記位置測定部は、前記基準信号を受信する基準信号受信センサーと、所定の距離で互いに離隔されて設置された複数の超音波センサーを含んで、前記信号発生装置で発生された基準信号と超音波信号が前記基準信号受信センサーと超音波信号受信センサーにそれぞれ受信される時間差を利用して前記信号発生装置の座標情報を生成することができる。
【００１２】
また、前記位置測定部は、タッチスクリーンパネルであることができる。
また、前記パターン情報は、前記座標情報のＸまたはＹ座標値の増加方向及び減少方向に応じて互いに異なる加重値を付与して圧力値を生成するように表わすことができる。
【００１３】
また、前記パターン情報は、横画と縦画のうちの一つに対しては高い筆記圧力を設定し、他の一つに対しては低い筆記圧力を生成するように表わすことができる。
【００１４】
また、前記パターン情報は、筆記の開始部分に対しては高い圧力を設定し、筆記が進行されるほど徐々に圧力が低くなるように設定するとか、筆記の開始部分に対しては低い圧力を設定し、筆記が進行されるほど徐々に圧力が高くなるように設定することができる。
【００１５】
また、前記パターン情報は、筆記速度に反比例する圧力値を生成するように表わすことができる。
【００１６】
また、前記パターン情報は、一定の時間周期または距離周期に増減が繰り返される圧力値を生成するように表わすことができる。
【００１７】
また、前記パターンＤＢは、複数の筆記パターンを貯蔵し、前記筆記入力装置は、使用者から筆記情報生成に利用される筆記パターンを選択受けて前記圧力情報生成部に出力する入力部をさらに含むことができる。
【００１８】
一方、上述した課題を解決するための本発明の筆記入力方法は、（ａ）使用者から筆記圧力パターンを選択受ける段階と、（ｂ）使用者が筆記を入力する物体の位置を測定して座標情報を生成する段階と、（ｃ）パターンＤＢから使用者が選択した筆記圧力パターン情報を判読し、前記座標情報を利用して前記筆記圧力パターン情報に従って前記座標情報に対応する仮想の筆記圧力情報を生成する段階を含む。
【００１９】
また、前記筆記入力方法は、（ｄ）前記座標情報、前記座標情報に対応する時間情報及び前記筆記圧力情報を互いに連係してそれぞれ貯蔵する段階と、をさらに含むことができる。
【００２０】
また、前記筆記入力方法は、（ｅ）前記座標情報に対応する位置に前記圧力情報に対応する厚さで筆記を表示する段階をさらに含むことができる。
【００２１】
また、前記（ｂ）段階は、所定の時間の間隔で前記物体の位置をサンプリングして座標情報を生成し、前記（ｄ）段階は、前記座標情報及び前記座標情報に対応する圧力情報を含む筆記情報を貯蔵することができる。
【００２２】
また、前記（ｂ）段階に、使用者が利用して筆記を入力する信号発生装置で発生された基準信号と超音波信号が前記筆記入力装置にそれぞれ受信される時間差を利用して前記信号発生装置の座標情報を生成することができる。
【００２３】
また、前記パターン情報は、前記座標情報のＸまたはＹ座標値の増加方向及び減少方向に応じて互いに異なる加重値を付与して圧力値を生成するように表わすことができる。
【００２４】
また、前記パターン情報は、横画と縦画のうちの一つに対しては高い筆記圧力を設定し、他の一つに対しては低い筆記圧力を生成するように表わすことができる。
【００２５】
また、前記パターン情報は、筆記の開始部分に対しては高い圧力を設定し、筆記が進行されるほど徐々に圧力が低くなるように設定するとか、筆記の開始部分に対しては低い圧力を設定し、筆記が進行されるほど徐々に圧力が高くなるように設定することができる。
【００２６】
また、前記パターン情報は、筆記速度に反比例する圧力値を生成するように表わすことができる。
【００２７】
また、前記パターン情報は、一定の時間周期または距離周期に増減が繰り返される圧力値を生成するように表わすことができる。
【発明の効果】
【００２８】
本発明では、筆記入力による圧力情報を生成する方式を規定した多様なパターンを前もって貯蔵し、使用者が自分の筆記パターンと類似のパターンを選択するとか、自分の願う筆記パターンを選択して筆記を遂行すれば、筆記パターンに従って圧力情報を生成し、ここに対応する厚さで筆記を表示することで、位置のみを入力して同じ厚さに出力する従来技術の単調な筆記入力の問題点を解決する效果が表われる。
【図面の簡単な説明】
【００２９】
【図１】本発明の望ましい実施例による筆記入力装置の構成を示するブロック図である。
【図２】位置測定部が超音波入力装置で具現された場合に、座標を測定する方式を説明する図である。
【図３】パターンＤＢに貯蔵される本発明の筆記情報生成パターンに従って生成された筆記情報を表示した例を説明する図である。
【図４】パターンＤＢに貯蔵される本発明の筆記情報生成パターンに従って生成された筆記情報を表示した例を説明する図である。
【図５】パターンＤＢに貯蔵される本発明の筆記情報生成パターンに従って生成された筆記情報を表示した例を説明する図である。
【図６】パターンＤＢに貯蔵される本発明の筆記情報生成パターンに従って生成された筆記情報を表示した例を説明する図である。
【図７】パターンＤＢに貯蔵される本発明の筆記情報生成パターンに従って生成された筆記情報を表示した例を説明する図である。
【図８】本発明の望ましい実施例による筆記入力方法を説明するフローチャートである。
【図９】図８の段階Ｓ８３０を詳細に説明するフローチャートである。
【発明を実施するための形態】
【００３０】
以下、添付された図面を参照して本発明の望ましい実施例を説明する。
【００３１】
図１は、本発明の望ましい実施例による筆記入力装置の構成を示するブロック図である。図１を参照すれば、本発明の筆記入力装置は、位置測定部２００と、圧力情報生成部１００と、筆記情報貯蔵部４００と、パターンＤＢ３００とを基本的に含み、表示部５００と入力部６００とをさらに含むことができる。
【００３２】
先に、位置測定部２００は、使用者が筆記を入力するために動く物体の位置を測定して座標情報を生成し、生成された座標情報を筆記情報貯蔵部４００と圧力情報生成部１００に出力する。この時、位置測定部２００は、座標情報とともに座標情報が生成された時間情報を出力し、前もって定義された時間周期に座標情報が生成される場合に、時間情報が省略されることができる。
【００３３】
位置測定部２００は、タッチスクリーン、超音波入力装置、マウス、スタイルロスペンなどのように、物体の位置を測定することができる構成なら制限がない。
【００３４】
位置測定部２００がタッチスクリーンで具現された場合に、使用者が筆記を入力する物体は、使用者の指、一般的なペン、またはタッチスクリーン上に情報を入力するための入力ペンなどに相当し、位置測定部２００は、物体がタッチスクリーンに接触する位置の絶対座標情報を出力する。
【００３５】
位置測定部２００が超音波入力装置で具現される場合に、使用者が筆記を入力する物体は、赤外線信号またはＲＦ信号のような基準信号と超音波信号を発生させる信号発生装置で具現され、位置測定部２００は、基準信号と超音波信号が受信される時間差を利用して筆記空間上の絶対座標を出力する。
【００３６】
図２は、位置測定部２００が超音波入力装置で具現された場合に、座標を測定する方式を説明する図である。図２を参照すれば、一定の時間周期に赤外線信号またはＲＦ信号のような基準信号と超音波信号を同時にまたは一定の時間の間隔を置いて発生させる信号発生装置２２０を利用して使用者が筆記を遂行する。
【００３７】
一方、位置測定部２００は、基準信号受信センサー２１１と、前もって定義された距離ｃで互いに離隔されて設置された超音波受信センサー２１２ａ、２１２ｂと、基準信号が受信された時間と超音波信号が各超音波受信センサーに受信された時間の差を利用して信号発生装置の座標を計算する座標情報計算部２３０とを含む。
【００３８】
信号発生装置２２０の座標（ｘ、ｙ）は、次の数学式１をｘとｙに対して解けば、求めることができる。
【００３９】
【数１】
2012533815.tif 000003
【００４０】
数学式１において、基準信号である赤外線信号または無線周波数信号が光の速度で進行するので、信号発生装置２２０で生成されることと同時に基準信号受信センサー２１１に受信されると見做して、距離ａ及びｂは、基準信号が受信された時間と超音波信号が左側超音波センサー２１２ａと右側超音波センサー２１２ｂにそれぞれ受信された時間の差に音速を掛けて求めることができるし、距離ｃは、前もって定義された値であるので、ａ、ｂ、及びｃの値を数学式１に代入して、ｘとｙに対して解けば、座標（ｘ、ｙ）を求めることができる。
【００４１】
一方、マウスなどの一般的な入力装置を利用して位置測定部２００が具現されることができるし、この場合に位置の絶対座標情報よりは相対座標情報が入力されることができる。
【００４２】
圧力情報生成部１００は、位置測定部２００から入力される座標情報と、パターンＤＢ３００に貯蔵されたパターン情報とに従って仮想の筆記圧力値（圧力情報）を生成する。
【００４３】
上述のように、自然な筆記入力を具現するために、使用者の筆記圧力に従って筆記画の厚さを調節するのが必須である。しかし、タッチスクリーンや超音波を利用する方式などのように、デジタル方式で筆記を入力する場合に、別途の圧力センサーを設置しなければ、筆記圧力に対する情報を得ることができないし、よって、使用者の筆記状態による筆記画の厚さを調節することができない。
【００４４】
本発明は、前もって定義された筆記パターンに従って筆記圧力値を生成して筆記情報として貯蔵するとか応用プログラムに提供する。一般的な筆記過程において、筆記圧力が増加すれば、厚さも比例して増加するので、本発明の筆記圧力は筆記厚さと実質的に等しい意味に利用されるという点に注意しなければならない。
【００４５】
筆記情報貯蔵部４００は、位置測定部２００から入力された座標情報及び時間情報（一定の時間周期に座標情報が生成される場合には省略される）と圧力情報生成部１００から入力された圧力情報を互いに関係させてそれぞれ貯蔵し、貯蔵された座標情報と圧力情報を含む筆記情報を表示部５００に出力するとか、他の応用プログラムなどの入力値として出力する。
【００４６】
また、本発明の他の実施例においては、筆記情報貯蔵部４００が省略されることができる。この場合に、位置測定部２００から入力された座標情報及び時間情報（一定の時間周期に座標情報が生成される場合には省略される）と圧力情報生成部１００から入力された圧力情報は、実時間で表示部５００に出力されるとか、他の応用プログラムなどの入力値として出力される。
【００４７】
パターンＤＢ３００は、前もって定義された複数のパターン情報を貯蔵する。各パターン情報は、使用者が筆記を遂行する位置の変化、すなわち、座標情報の変化によってどんなに圧力情報を生成するかに対する規則などを規定したパターンである。各パターンの例は、図３ないし図７を参照して後述する。
【００４８】
一方、表示部５００は、筆記情報貯蔵部４００から入力される筆記情報を使用者に表示する。表示部５００は、筆記情報に含まれた座標情報に対応する表示部５００上の位置に圧力情報に対応する厚さで使用者の筆記を表示する。ただ、ある実施例においては、筆記情報貯蔵部４００に貯蔵された筆記情報を入力受ける代わりに、位置測定部２００及び圧力情報生成部１００からそれぞれ座標情報及び圧力情報を実時間で入力受けて出力することもできる。
【００４９】
入力部６００は、使用者からパターン選択情報及び選択されたパターンの設定情報を入力受けて圧力情報生成部１００に出力する。本発明の筆記情報生成パターンは、後述のように、複数個の互いに異なる規則に従って互いに異なる方式で圧力情報を生成するように規定するのに、使用者は、入力部６００を通して自分の実際筆記習慣や、自分の表現しようとする筆記方式に従って筆記情報を入力する筆記パターンを選択することができる。
【００５０】
図３ないし図７は、パターンＤＢ３００に貯蔵される本発明の筆記情報生成パターンに従って生成された筆記情報を表示した例を説明する図である。本発明では、上述のように、前もって定義された多様な筆記情報入力パターンに従って使用者の筆記圧力値を生成し、これによって使用者に筆記情報を表示する。
【００５１】
先に、図３に示されたパターン（第１パターンと称する）は、横画と縦画を区別して、横画（または縦画）が縦画（または横画）に比べてもっと高い圧力加重値を設定した例である。図３の（ａ）に示された従来の筆記方式によれば、横画と縦画の区別なしに同じ圧力とこれによる同じ厚さで表示される。しかし、本発明の第１パターンによれば、図３の（ｂ）に示されたところのように、横画は縦画に比べて圧力がもっと高く設定されるので、もっと厚く表示されることを分かる。
【００５２】
図４に示されたパターン（第２パターンと称する）では、筆記方向に関係なく一定の時間周期または距離周期に圧力値の増減が繰り返される。図４に示された例において、第２パターンは、増減が繰り返される圧力の大きさの最小値（図４の例においては１０）及び最大値（図４の例においては２０）を前もって設定し、使用者が筆記を遂行すれば、図４に示されたところのように、一定の時間周期または距離周期に圧力の最小値１０がら圧力が徐々に増加して時間周期または距離周期の半分に該当たる時点または地点で、圧力値が最大値２０）になり、圧力値が減少して、時間または距離が一周期になる時点または地点で、圧力値が最小値１０になり、以後に再び増加して、増加と減少を繰り返す。
【００５３】
図５に示されたパターン（第３パターンと称する）は、Ｘ軸方向またはＹ軸方向の座標値の増加方向または減少方向に対して互いに異なる加重値を付与して圧力値を生成するように規定したパターンの例である。図５では、Ｘ軸の増加方向に対して圧力値が高く生成されるように加重値を付与した例が示される。
【００５４】
図５に示されたところのように、座標情報がＸ軸方向で座標値が減少する区間である区間４０１及び区間４０３の筆記圧力は、従来技術と同様に生成し、Ｘ軸に増加する区間である区間４０２及び区間４０４では、区間４０１及び区間４０３に比べて筆記圧力値を高く設定してもっと厚く表示する。図５には、Ｘ軸方向に従って圧力値が変化される例を示したが、Ｙ軸方向に対しても同じパターンが適用されることができることは勿論である。
【００５５】
図６に示されたパターン（第４パターンと称する）では、筆記画の開始部分と終了部分での圧力値を前もって定義された値によって生成する。
【００５６】
図６の（ａ）の場合に、画の開始部分においては、圧力値が徐々に増加した後（厚さが徐々に増加した後）、一定の区間の間に同じ圧力値（厚さ）が維持され、終了部分においては、圧力値（厚さ）が徐々に減少するパターンの例を示する。
【００５７】
また、図６の（ｂ）の場合に、画の開始部分においては、圧力を最大値で設定し、終了部分に行くほど圧力値が徐々に減少するように設定するとか（ｂ方向で線を引く場合）、画の開始部分においては、圧力を最小値で設定し、終了部分に行くほど圧力値が徐々に増加するように設定するパターン（ａ方向で線を引く場合）の例を示する。
【００５８】
図７は、使用者の筆記速度に従って圧力値を生成するパターン（第５パターンと称する）の例を示する。第５パターンは、一般的な筆記過程において、筆記速度が早ければ、ペンに印加される筆記圧力が小くなって筆記厚さが薄くなり、筆記速度が遅ければ、ペンに印加される筆記圧力が大きくなって筆記厚さが厚くなるという点に着眼した。
【００５９】
これをデジタル筆記入力方式に適用して、図７の（ａ）に示されたところのように使用者が地点６０１から地点６１２まで筆記を遂行すれば、図７の（ｂ）に示されたところのように、筆記画を一定の時間の間隔にサンプリングし、サンプリングされた各座標６０１〜６１２の間の距離を測定して各座標区間の筆記速度を計算する。各座標６０１〜６１２をサンプリングする時間が一定であるので、筆記速度は、座標間距離に正比例する。
【００６０】
したがって、第５パターンの場合に、図７の（ｃ）に示されたところのように、筆記速度（座標間距離）に反比例するように筆記圧力情報（筆記厚さ情報）を生成し、筆記速度が遅い区間である筆記画の開始部分と終了部分においては、筆記圧力値が大きい厚い筆記が入力され、筆記速度が早い区間においては、筆記圧力値が小さな薄ら厚さの筆記が入力される。
【００６１】
一方、第４パターン及び第５パターンの場合に、圧力情報を最終で完成するために筆記画の終了部分を把握しなければならない。このために第４パターン及び第５パターンに従って筆記圧力情報を生成する場合に、筆記情報貯蔵部４００は、バッファーとしての役目を一緒に遂行し、圧力情報生成部１００は、実時間で生成された圧力情報（厚さ情報）を筆記情報貯蔵部４００に貯蔵した後、位置測定部２００から一定の時間の間に座標情報が入力されない場合のように、筆記画が終わったと判断されば、筆記画の終了部分に該当たる圧力情報をパターン情報によって修正し、再び筆記情報貯蔵部４００にまた出力し、筆記情報貯蔵部４００に修正されて貯蔵された圧力情報は、再び表示部５００に出力されるとか、外部電子機器または応用プログラムに伝送される。
【００６２】
図８は、本発明の望ましい実施例による筆記入力方法を説明するフローチャートである。図８を参照して本発明の筆記入力方法を説明すれば、先に、使用者が前もって自分が筆記を入力する時に利用するパターンを選択する（Ｓ８１０）。パターンの選択は、前もって定義されたパターンのいずれか一つを選択することができるし、使用者が直接に前もって定義されたパターンの一部を変更して選択することもでき、前もって定義されないパターンを定義し、パターンＤＢ３００に貯蔵した後、選択することもできる。また、使用者がパターンを選択しながら、各パターンの設定値を入力することができる。
【００６３】
例えば、Ｓ８１０段階に、使用者が上述した第１パターンを選択した場合に、横画に加重値を付与するかまたは縦画に加重値を付与するか可否を一緒に選択することができる。
【００６４】
また、Ｓ８１０段階に、使用者が上述した第２パターンを選択した場合に、使用者が繰り返して増減する圧力値の最大値及び最小値を一緒に設定することができるし、時間周期または距離周期も設定することができる。
【００６５】
また、Ｓ８１０段階に、使用者が上述した第３パターンを選択した場合に、Ｘ軸方向及びＹ軸方向のいずれか一つの方向の変化に対して加重値を付与するか可否及び選択された軸方向の座標値の増加方向または減少方向に対して加重値を付与するか可否を一緒に選択することができる。
【００６６】
また、Ｓ８１０段階に、使用者が上述した第４パターンを選択した場合に、使用者が筆記の開始部分及び終了部分に対する設定値を一緒に入力することができる。例えば、図６の（ａ）に対応するパターンを選択した場合に、使用者が圧力値が徐々に増加するとか徐々に減少する開始部分及び終了部分の長さ及びこの時の変化程度（例えば各時間または距離区間においての圧力設定値）を一緒に選択することができる。
【００６７】
また、図６の（ｂ）に対応するパターンを選択した場合に、使用者が筆記画の開始部分を高い圧力で設定し、圧力が減少される一定の比率を一緒に設定するとか、筆記画の開始部分を小さな圧力で設定して圧力が増加される一定の比率を一緒に設定することができる。
【００６８】
また、Ｓ８１０段階に、使用者が上述した第５パターンを選択した場合に、使用者は直接に筆記速度による圧力減少の比率を設定することができる。
【００６９】
使用者がパターンを選択した後、筆記を遂行すれば、位置測定部２００は、使用者が筆記を遂行する物体（上述した信号発生装置またはタッチスクリーンに接触させた指、ペンなど）の座標情報を生成して出力する（Ｓ８２０）。
【００７０】
座標情報を受信した圧力情報生成部１００は、使用者が選択したパターンをパターンＤＢ３００で照会し、使用者が選択したパターンに従って圧力情報を生成する（Ｓ８３０）。
【００７１】
図９は、図８の段階Ｓ８３０を詳細に説明するフローチャートである。図９を参照すれば、圧力情報生成部１００は、使用者が選択したパターンを調査して（Ｓ８３１）、使用者が選択したパターンをパターンＤＢ３００で照会し、使用者が選択したパターンと各パターンに対して使用者が設定した設定情報に従って圧力情報を生成する（Ｓ８３２〜Ｓ８３６）。
【００７２】
上述したパターンの例の中で、使用者が第１パターンを選択した場合に、使用者が設定した情報に従って横画または縦画に対して高い圧力加重値を設定して圧力情報を生成する（Ｓ８３２）。
【００７３】
使用者が第２パターンを選択した場合に、使用者が設定した設定情報によって一定の時間周期または距離周期に繰り返して増減する圧力情報を生成する（Ｓ８３３）。
使用者が第３パターンを選択した場合に、使用者が設定した設定情報に従ってＸ軸方向またはＹ軸方向の座標増加方向または減少方向に対して高い圧力加重値を設定して圧力情報を生成する（Ｓ８３４）。
【００７４】
使用者が第４パターンを選択した場合に、筆記画の開始部分及び終了部分に対して前もってパターンＤＢ３００に貯蔵されるとか、使用者が設定したパターンに従って圧力情報を生成する（Ｓ８３５）。
【００７５】
使用者が第５パターンを選択した場合に、圧力情報生成部１００は、筆記速度に従って筆記速度に反比例する圧力情報を生成する（Ｓ８３６）。
【００７６】
第１パターンないし第５パターンに従って圧力情報を生成する過程に対しては、図３ないし図７を参照して上述したので、詳しい説明は略し、上述した第１ないし第５パターン以外にも、多様なパターンが設定されることができることは勿論である。
【００７７】
今まで本発明の望ましい実施例による筆記情報入力方法及び装置を説明した。たとえ、上述した本発明の実施例においては、５個のパターンに従って筆記を入力する方式を例示的に説明したが、上述した５個のパターン以外にも多様なパターンが適用可能であり、本発明の技術的思想の特徴は個個のパターンにあるのではなく、このようなパターンを使用者自分が直接に選択して自分が願うスタイルの筆記情報を入力することができるという点にあることを注意しなければならない。
【００７８】
本発明では、またコンピューターで読める記録媒体にコンピューターが読めるコードとして具現するのが可能である。コンピューターが読める記録媒体は、コンピューターシステムによって読まれることができるデータが貯蔵されるすべての種類の記録装置を含む。コンピューターが読める記録媒体の例では、ＲＯＭ、ＲＡＭ、ＣＤ−ＲＯＭ、エムティー、フロッピー（登録商標）ディスク、光データ貯蔵装置などがあり、またキャリアウエーブ（例えばインターネットを通じる伝送）の形態に具現されることも含む。またコンピューターが読める記録媒体は、ネットワークで連結されたコンピューターシステムに分散して、分散方式でコンピューターの読めるコードが貯蔵されて実行されることができる。
【００７９】
今まで本発明に対してその望ましい実施例を中心に説明した。本発明が属する技術分野で通常の知識を持った者は、本発明が本発明の本質的な特性から脱しない範囲で変形された形態に具現されることができることを理解することができる。従って、開示された実試例は限定的な観点ではなく、説明的な観点で考慮されなければならない。本発明の範囲は、前述の説明ではなく請求の範囲に現われているし、そのと同等な範囲に属するすべての差異は、本発明に含まれたことに解釈されなければならない。
【図１】
2012533815.tif 000004
【図２】
2012533815.tif 000005
【図３】
2012533815.tif 000006
【図４】
2012533815.tif 000007
【図５】
2012533815.tif 000008
【図６】
2012533815.tif 000009
【図７】
2012533815.tif 000010
【図８】
2012533815.tif 000011
【図９】
2012533815.tif 000012
【国際調査報告】
2012533815.tif 000013
2012533815.tif 000014
2012533815.tif 000015
2012533815.tif 000016